(57)【要約】【課題】従来のシートクリップが使用できないような被覆対象物に使用でき、絶縁シートを被覆対象物に確実に固定できるようにしたシートクリップの提供を目的とする。【解決手段】シートクリップ１は、絶縁シート２６で覆われた被覆対象物６に引っ掛けられるフック部８が形成された第１アーム２と、絶縁シート２６の両端部を第１アーム２と共に挟持する第２アーム３と、を有している。第１アーム２は、ベルトリール１６が着脱可能に取り付けられるベルトリール保持部１５が形成されている。第２アーム３は、ベルトリール１６から引き出されたベルト１７の先端側を脱着可能に固定するベルトストッパ２７が形成されている。ベルトリール１６は、ベルト１７を巻き取る方向に付勢し、引き出されたベルト１７に張力を生じさせる。ベルト１７は、絶縁シート２６で覆われた被覆対象物６の形状に合わせて変形し、絶縁シート２６及び被覆対象物６を第１アーム２及び第２アーム３と共に抱え込むように固定する。【選択図】図１
2020141479.tif 000002
【特許請求の範囲】
【請求項１】
被覆対象物に感電防止のための絶縁シートを固定するシートクリップにおいて、
前記絶縁シートで覆われた前記被覆対象物に引っ掛けられるフック部が一端側に形成された第１アームと、前記被覆対象物に被せられた前記絶縁シートの両端部を前記第１アームと共に挟持する第２アームと、を有し、
前記第１アームは、ベルトリールが着脱可能に取り付けられるベルトリール保持部が形成され、
前記第２アームは、前記ベルトリールから引き出されて前記絶縁シートで覆われた前記被覆対象物に巻き掛けられたベルトの先端側を脱着可能に固定するベルトストッパが形成され、
前記ベルトリールは、引き出されたベルトを巻き取る方向に付勢し、前記ベルトストッパに先端側が固定された前記ベルトに張力を生じさせ、
前記ベルトは、前記絶縁シートで覆われた前記被覆対象物の形状に合わせて変形し、前記絶縁シートで覆われた前記被覆対象物を前記第１アーム及び前記第２アームと共に抱え込むように固定する、
ことを特徴とするシートクリップ。
【請求項２】
前記第１アームと前記第２アームは、前記絶縁シートを挟持する部分にゴム製の挟持プレートが取り付けられ、前記挟持プレートを介して前記絶縁シートを挟持する、
ことを特徴とする請求項１に記載のシートクリップ。
【請求項３】
前記フック部は、前記被覆対象物に対向する面を内面とし、この内面の反対側に位置する面を外面とすると、前記ベルトリールから引き出された前記ベルトを前記外面に沿って前記フック部の先端まで案内するベルトガイドが形成された、
ことを特徴とする請求項１又は２に記載のシートクリップ。
【発明の詳細な説明】
【技術分野】
【０００１】
この発明は、配電線高圧活線作業等における作業者の感電事故を防止するために、作業領域の被覆対象物（例えば、活線状態にある架線、碍子、腕金）に感電防止のための絶縁シートを固定するシートクリップに関するものである。
【背景技術】
【０００２】
従来から、配電線高圧活線作業等において、作業者の感電事故を防止する必要があると認められる作業領域の被覆対象物には絶縁シートを取り付けて、作業の安全性を確保するように工夫されている。
【０００３】
図６は、柱状立設体１００（例えば、電柱）を絶縁シート１０１で覆い、その絶縁シート１０１をシートクリップ１０２で柱状立設体１００に固定する例を示す図である（特許文献１参照）。
【０００４】
この図６に示すように、絶縁シート１０１を柱状立設体１００に固定するシートクリップ１０２は、対向するように一対配置されたアーム１０３，１０３と、アーム１０３，１０３の一端側を回動可能に支持するアーム支持部１０４と、を有している。そして、一対のアーム１０３，１０３は、先端側（他端側）にシート抑え用のローラ１０５，１０５が取り付けられており、ローラ１０５，１０５同士が近づけられる方向へ回動支持軸１０６，１０６に取り付けられたばね部材（図示せず）によって常時付勢されている。
【０００５】
このようなシートクリップ１０２は、丸棒状の柱状立設体１００に巻き掛けた絶縁シート１０１を一対のアーム１０３，１０３で柱状立設体１００と共に抱きかかえられるようにして固定するようになっている。なお、このシートクリップ１０２は、一対のアーム１０３，１０３をばね部材のばね力に抗して押し拡げることにより、柱状立設体１００への着脱が容易に行われる。
【先行技術文献】
【特許文献】
【０００６】
【特許文献１】特開２０１５−６１４４９号公報
【発明の概要】
【発明が解決しようとする課題】
【０００７】
しかしながら、図６に示した従来のシートクリップ１０２は、絶縁シート１０１を所定太さの丸棒状の柱状立設体１００に確実に固定することができるが、一対のアーム１０３，１０３の開き角度に限界があることから、使用できる柱状立設体１００の太さが制限され、また、断面形状が四角形状の腕金や複雑な形状の被覆対象物に絶縁シート１０１を確実に固定することが困難であった。
【０００８】
そこで、本発明は、従来のシートクリップが使用できないような被覆対象物に使用でき、絶縁シートを被覆対象物に確実に固定できるようにしたシートクリップの提供を目的とする。
【課題を解決するための手段】
【０００９】
本発明は、被覆対象物６に感電防止のための絶縁シート２６を固定するシートクリップ１に関するものである。本発明のシートクリップ１は、前記絶縁シート２６で覆われた前記被覆対象物６に引っ掛けられるフック部８が一端側に形成された第１アーム２と、前記被覆対象物６に被せられた前記絶縁シート２６の両端部を前記第１アーム２と共に挟持する第２アーム３と、を有している。前記第１アーム２は、ベルトリール１６が着脱可能に取り付けられるベルトリール保持部１５が形成されている。前記第２アーム３は、前記ベルトリール１６から引き出されて前記絶縁シート２６で覆われた前記被覆対象物６に巻き掛けられたベルト１７の先端側を脱着可能に固定するベルトストッパ２７が形成されている。前記ベルトリール１６は、引き出されたベルト１７を巻き取る方向に付勢し、前記ベルトストッパ２７に先端側が固定された前記ベルト１７に張力を生じさせるようになっている。そして、前記ベルト１７は、前記絶縁シート２６で覆われた前記被覆対象物６の形状に合わせて変形し、前記絶縁シート２６で覆われた前記被覆対象物６を前記第１アーム２及び前記第２アーム３と共に抱え込むように固定する。
【発明の効果】
【００１０】
本発明に係るシートクリップは、被覆対象物に被せられた絶縁シートの両端部を第１アームと第２アームとで挟持し、ベルトが絶縁シートで覆われた被覆対象物を第１アームと第２アームと共に抱え込むように固定するため、被覆対象物が従来のシートクリップを使用できないような形状であったとしても、ベルトが被覆対象物の形状に合わせて柔軟に変形し、絶縁シートを被覆対象物に確実に固定することができる。
【図面の簡単な説明】
【００１１】
【図１】本発明の実施例に係るシートクリップを示す図であり、図１（ａ）はシートクリップの使用状態を示す正面図であり、図１（ｂ）はシートクリップの使用状態を示す左側面図であり、図１（ｃ）はシートクリップの使用状態を示す右側面図である。
【図２】図２（ａ）はシートクリップの第１アームと第２アームとが閉じられた状態を示す正面図であり、図２（ｂ）はシートクリップの第１アームと第２アームとが開かれた状態を示す正面図である。
【図３】図３（ａ）はベルトリール及びベルトリール保持部の正面図、図３（ｂ）はベルトリール及びベルトリール保持部の側面図（矢印Ｂ１方向に沿って見た図）、図３（ｃ）はベルトリール及びベルトリール保持部の平面図（矢印Ｂ２方向に沿って見た図）である。
【図４】図４（ａ）はベルトリールとベルトリール保持部との関係を示す第１状態図（図３（ａ）に対応する図）、図４（ｂ）はベルトリールとベルトリール保持部との関係を示す第２状態図、図４（ｃ）はベルトリールとベルトリール保持部との関係を示す第３状態図である。
【図５】ベルト先端保持手段を示す図であり、図５（ａ）はベルト先端保持手段の平面図（図１（ｂ）の一部を拡大して示す図）、図５（ｂ）はベルト先端保持手段の側面図（図１（ａ）の一部を拡大して示す図）、図５（ｃ）は図５（ａ）のＡ１−Ａ１線に沿って切断して示すベルト先端保持手段の断面図、図５（ｄ）は図５（ａ）のＡ２−Ａ２線に沿って切断して示すベルト先端保持手段の断面図である。
【図６】従来のシートクリップを簡略化して示す正面図である。
【発明を実施するための形態】
【００１２】
以下、本発明の実施例を図面に基づき詳述する。
【００１３】
図１及び図２は、本発明の実施例に係るシートクリップ１を示す図である。なお、図１（ａ）はシートクリップ１の使用状態を示す正面図であり、図１（ｂ）はシートクリップ１の使用状態を示す左側面図であり、図１（ｃ）はシートクリップ１の使用状態を示す右側面図である。また、図２（ａ）はシートクリップ１の第１アーム２と第２アーム３とが閉じられた状態を示す正面図であり、図２（ｂ）はシートクリップ１の第１アーム２と第２アーム３とが開かれた状態を示す正面図である。
【００１４】
（シートクリップの概略構成）
図１及び図２に示すように、シートクリップ１は、第１アーム２と、この第１アーム２に回動可能に取り付けられた第２アーム３と、を組み合わせて構成されている。このシートクリップ１は、第２アーム３の長手方向（図１及び図２のＺ方向）の略中間位置が支持軸４を介して第１アーム２の回動支点部５に回動できるように取り付けられている。なお、シートクリップ１を構成する第１アーム２と第２アーム３は、絶縁性プラスチックで形成されている。
【００１５】
（第１アーム）
第１アーム２は、被覆対象物６（例えば、活線状態にある架線、碍子、腕金）に引っ掛けられるようにアーム本体７の一端側（先端側）に形成されたフック部８と、図示しない間接活線工具（例えば、絶縁ヤットコ）によって把持されるようにアーム本体７の他端側に形成された第１の開閉操作部１０と、を有している。また、第１アーム２は、回動支点部５の上方側に（後述する第２アーム３の把持部１１と対向する位置に）、ゴム製の把持プレート１２が固定されている。また、第１アーム２は、アーム本体７の一端側の外面１３側（被覆対象物６に対向する面を内面１４とし、内面１４に対して反対側に位置する面を外面１３とする）に出っ張るようにベルトリール保持部１５が形成されており、ベルトリール１６がベルトリール保持部１５に脱着可能に取り付けられている。また、第１アーム２は、ベルトリール１６から引き出されたベルト１７が係合されるベルトガイド１８がフック部８の外面１３に複数形成されている。ベルトガイド１８は、フック部８の先端８ａの１箇所に形成されると共に、このフック部８の先端８ａとベルトリール保持部１５との間の１箇所に形成されている。また、このベルトガイド１８は、一対の鍵型体２０，２０を対向するように配置して構成されている。そして、このベルトガイド１８は、ベルトリール１６から引き出されたベルト１７を上方から挿入できるように、一対の鍵型体２０，２０の上部壁２１，２１間に開口部２２が形成されており、対向するように位置する一対の鍵型体２０，２０の側壁２３，２３の内面でベルト１７のスライド移動をガイドできるようになっている。なお、ベルトガイド１８を構成する一対の鍵型体２０，２０の上部壁２１，２１は、ベルト１７が一対の鍵型体２０，２０の間から抜け出るのを防止することができるようになっている。
【００１６】
（第２アーム）
第２アーム３は、全長（図１及び図２のＺ方向の長さ）が第１アーム２よりも短くなっている。そして、この第２アーム３は、長手方向（Ｚ方向）の略中間位置に係合される支持軸４から上方に向かって延びる（第１アーム２のフック部８側に向かって延びる）把持部１１と、支持軸４から下方に向かって延びる（第１アーム２の第１の開閉操作部１０）に対向するように延びる第２の開閉操作部２４と、を有している。第２アーム３の把持部１１は、第１アーム２のアーム本体７に対向する面（内面）側にゴム製の把持プレート２５が固定されている。この第２アーム３の把持部１１は、支持軸４に巻き掛けられたばね（図示せず）で第１アーム２の把持プレート１２に押し付けられる方向に常時付勢されており、絶縁シート２６の両端部を第１アーム２の把持プレート１２との間に挟持できるようになっている（図１（ａ）参照）。また、この第２アーム３は、把持部１１が閉じた状態（把持部１１の把持プレート２５が第１アーム２の把持プレート１２に当接した状態）において、第２の開閉操作部２４が第１アーム２の第１の間接操作部１０から十分な間隔をあけて離れて位置するようになっている（図１（ａ）、図２（ａ）参照）。そして、この第２アーム３は、第２の開閉操作部２４と第１アーム２の第１の開閉操作部１０とが図示しない間接活線工具（例えば、絶縁ヤットコ）で把持され、第２の開閉操作部２４が支持軸４を中心として第１開閉操作部１０へ近づくように操作されると、把持部１１が第１アーム２の把持プレート１２から離れ、把持部１１が開いた状態になる（図２（ｂ）参照）。また、第２アーム３の把持部１１の外面（内面に対して反対側に位置する面）には、ベルトガイド１８と同一形状のベルトストッパ２７が形成されている。この第２アーム３のベルトストッパ２７は、後述するベルト操作体２８と共にベルト先端保持手段３０を構成するようになっている。
【００１７】
（ベルトリールとベルトリール保持部との関係）
図３及び図４は、ベルトリール１６とベルトリール保持部１５との関係を示す図である。なお、図３（ａ）はベルトリール１６及びベルトリール保持部１５の正面図、図３（ｂ）はベルトリール１６及びベルトリール保持部１５の側面図（矢印Ｂ１方向に沿って見た図）、図３（ｃ）はベルトリール１６及びベルトリール保持部１５の平面図（矢印Ｂ２方向に沿って見た図）である。また、図４（ａ）はベルトリール１６とベルトリール保持部１５との関係を示す第１状態図（図３（ａ）に対応する図）、図４（ｂ）はベルトリール１６とベルトリール保持部１５との関係を示す第２状態図、図４（ｃ）はベルトリール１６とベルトリール保持部１５との関係を示す第３状態図である。
【００１８】
（ベルトリール）
図３及び図４に示すベルトリール１６は、ベルトリール保持部１５に脱着可能に固定される軸部３１と、この軸部３１に相対回動可能に係合されたドラム部３２と、ドラム部３２の外周側に巻かれた帯状のベルト１７と、ドラム部３２の内部に収容されたベルト巻き取り手段（図示せず）と、を有している。
【００１９】
軸部３１は、軸心に沿った両端部がベルトリール保持部１５のＵ字状溝３３に回り止めされた状態で係合されるように略小判状に切り欠かれており、両端部以外の丸棒状の部分でドラム部３２を回動可能に支持している。
【００２０】
ドラム部３２は、円筒状の外周壁３２ａと、この外周壁３２ａの回転軸心に沿った両端にそれぞれ位置する円板状の側壁３２ｂと、を有している。側壁３２ｂは、中心部に軸部３１に嵌合される軸穴３２ｃが形成されている。ドラム部３２は、外周壁３２ａと一対の側壁３２ｂ，３２ｂで囲まれた内部空間に、ベルト巻き取り手段が収納されている。
【００２１】
ベルト巻き取り手段は、ぜんまいばねを使用した掃除機のコード巻き取り装置と同様の構造であり（例えば、特開２００６−３１２５１８号公報の「コード巻き取り装置」参照）、ぜんまいばねのばね力に抗して引き出されたベルト１７をぜんまいばねの弾性復元によって巻き取るようになっている。このようなベルト巻き取り手段は、図１及び図２に示すように、ベルトリール１６から引き出されたベルト１７を巻き取る方向にぜんまいばねのばね力を常時作用させるようになっている。なお、ぜんまいばねは、一端が軸部３１に固定され、他端がドラム部３２に固定されている。また、ベルト巻き取り手段は、ベルトリール１６から引き出されたベルト１７を引き出し位置にロックするロック機構（例えば、ベルト１７の引き出し方向へのドラム部３２の回転を許容し、ベルト１７の巻き取り方向へのドラム部３２の回転を阻止するラチェット機構）と、ロック機構によるベルト１７のロック状態を解除するロック解除機構と、を設けるようにしてもよい。
【００２２】
（ベルトリール保持部）
ベルトリール保持部１５は、第１アーム２のアーム本体７の幅方向（図３のＹ方向）両側に対向するように一対形成されたベルトリール支持体３４、このベルトリール支持体３４の頂部３４ａに回動可能に取り付けられたベルトリール留め具３５と、を有している。ベルトリール支持体３４は、板状に形成され、第１アーム２のアーム本体７に一体に形成されるか、又は、溶着、接着剤、ねじ等で第１アーム２のアーム本体７に固定される。このベルトリール支持体３４は、ベルトリール１６の軸部３１を係合するＵ字状溝３３が頂部３４ａからＸ方向に対して平行に形成され、Ｕ字状溝３３の溝底にベルトリール１６の軸部３１が着座するようになっている。また、ベルトリール支持体３４は、頂部３４ａの一端側（図３（ａ）のＺ方向の一端側）に支持突起３６が形成されている。また、ベルトリール支持体３４は、頂部３４ａの他端側に開口するフック係合溝３７が形成されている。
【００２３】
ベルトリール留め具３５は、ベルトリール押さえ３８とフック４０とを有している。ベルトリール押さえ３８は、ベルトリール支持体３４の頂部３４ａから突出する支持突起３６を収容する突起収容溝４１が一端側（図３（ａ）のＺ方向一端側）に形成され、支持ピン４２を介して支持突起３６に回動可能に支持されている。また、ベルトリール押さえ３８は、他端側（図３（ａ）のＺ方向の他端側）にフック４０が支持ピン４３を介して回動可能に取り付けられ、このフック４０の爪部４４がフック係合溝３７の段部４５に引っ掛けられることにより、ベルトリール支持体３４の頂部３４ａに固定される（図３及び図４（ａ）参照）。ベルトリール留め具３５のフック４０は、図３（ａ）及び図４の反時計回り方向（左回り方向）に図示しないばねで常時付勢されており、図示しないばねの弾性力によって図３（ａ）及び図４（ａ）に示すロック状態（フック４０の爪部４４がフック係合溝３７の段部４５に引っ掛けられた状態）が維持されるようになっている。また、フック４０は、図３（ａ）及び図４に示すように、操作レバー部４６を有しており、操作レバー部４６が図示しないばねの弾性力に抗して支持ピン４３を回動中心として時計回り方向（右回り方向）に回動させられると、フック４０の爪部４４とフック係合溝３７の段部４５との係合状態が解除される（図４（ｂ）参照）。その結果、ベルトリール留め具３５は、図４（ａ）に示すように、ベルトリール支持体３４のＵ字状溝３３の頂部側開口端を開放し、ベルトリール支持体３４のＵ字状溝３３内からベルトリール１６の軸部３１を抜き出すことが可能になる。これにより、ベルトリール１６は、ベルトリール支持体３４から容易に取り外される。
【００２４】
図５は、ベルト先端保持手段３０を示す図である。なお、図５（ａ）はベルト先端保持手段３０の平面図（図１（ｂ）の一部を拡大して示す図）、図５（ｂ）はベルト先端保持手段３０の側面図（図１（ａ）の一部を拡大して示す図）、図５（ｃ）は図５（ａ）のＡ１−Ａ１線に沿って切断して示すベルト先端保持手段３０の断面図、図５（ｄ）は図５（ａ）のＡ２−Ａ２線に沿って切断して示すベルト先端保持手段３０の断面図である。
【００２５】
図１及び図５に示すように、ベルト先端保持手段３０は、ベルト１７の先端部に固定されたベルト操作体２８と、このベルト操作体２８が係合される第２アーム３のベルトストッパ２７と、を有している。なお、ベルトストッパ２７は、ベルトガイド１８と同様の形状になっており、一対の鍵型体２０，２０を対向するように配置して構成され、一対の鍵型体２０，２０の上部壁２１，２１間の開口部２２からベルト１７を係合でき、一対の鍵型体２０，２０の側壁２３，２３でベルト１７の移動をガイドできるようになっている。
【００２６】
ベルト操作体２８は、絶縁性プラスチックで板状に形成された第１ベルト操作体部２８ａと、この第１ベルト操作体部２８ａと同様に形成された第２ベルト操作体部２８ｂと、これら第１ベルト操作体部２８ａと第２ベルト操作体部２８ｂとを重ね合わせて固定するねじ４７と、を有している。そして、このベルト操作体２８は、ベルト１７の先端部を第１ベルト操作体部２８ａと第２ベルト操作体部２８ｂとの間に挟み込み、第１ベルト操作体部２８ａと第２ベルト操作体部２８ｂとをねじ４７で締め付け固定することにより、第１ベルト操作体部２８ａと第２ベルト操作体部２８ｂとによってベルト１７の先端部を挟持した状態で固定するようになっている。また、このベルト操作体２８は、ベルトストッパ２７を構成する一対の鍵型体２０，２０の側壁２３，２３間に係合される先端係合部４８と、一対の鍵型体２０，２０の側壁２３，２３に突き当てる突き当て面５０，５０とが形成されている。そして、ベルトストッパ２７に先端係合部４８が係合されたベルト操作体２８は、ベルト１７に常時作用するベルト巻き取り手段のばね力で突き当て面５０，５０がベルト操作体２８に突き当てられているため、ベルトリール１６から引き出されたベルト１７に緩みを生じさせることがなく、ベルトストッパ２７から脱落することがない。
【００２７】
（シートクリップの使用例）
次ぎに、本実施例に係るシートクリップ１の使用例を図１及び図２に基づき説明する。まず、図２（ａ）に示すように、ベルトリール１６からベルト１７を引き出し、ベルト１７をベルトガイド１８に係合させながら、ベルト１７の先端側に位置するベルト操作体２８を第１アーム２の先端のベルトガイド１８に係合させて、ベルト１７の先端位置をベルトガイド１８で仮止めする。ベルト１７は、ベルト操作体２８がベルトガイド１８で仮止めされた状態において、ベルトリール１６の巻き取り手段で巻き取り方向に引っ張られているため、第１アーム２の先端８ａのベルトガイド１８とベルトリール１６との間で緩みを生じることがなく、上方（Ｚ方向）に向かって凸形状となるように湾曲した第１アーム２のフック部８の外面１３に押し付けられるため、２箇所のベルトガイド１８，１８から脱落することがない。
【００２８】
次ぎに、図２（ｂ）に示すように、シートクリップ１は、第１アーム２の第１の開閉操作部１０と第２アーム３の第２の開閉操作部２４とが図示しない間接活線工具（例えば、絶縁ヤットコ）で把持されて閉じられ、第２アーム３の把持部１１が第１アーム２から離され、第２アーム３の把持部１１と第１アーム２のアーム本体７とがＶ字状に開かれる。
【００２９】
次ぎに、図２（ｂ）に示す状態のシートクリップ１は、第１アーム２の第１の開閉操作部１０と第２アーム３の第２の開閉操作部２４とが図示しない間接活線工具（例えば、絶縁ヤットコ）で把持された状態で、絶縁シート２６が被せられた被覆対象物６（例えば、腕金）に第１アーム２のフック部８が引っ掛けられ、絶縁シート２６の両端部を第２アーム３の把持部１１と第１アーム２のアーム本体７との間のＶ字状の空間に収容する。
【００３０】
次ぎに、図１（ａ）に示すように、シートクリップ１は、図示しない間接活線工具（例えば、絶縁ヤットコ）が第１アーム２の第１の開閉操作部１０と第２アーム３の第２の開閉操作部２７とから離されると、第２アーム３の把持部１１が図示しないばねの力で第１アーム２の把持プレート１２に押し付けられ、第２アーム３の把持部１１の把持プレート２５と第１アーム２の把持プレート１２とで絶縁シート２６の両端部を挟持する。
【００３１】
次ぎに、図１（ａ）〜（ｃ）に示すように、シートクリップ１は、第１アーム２のフック部８の先端８ａに形成されたベルトガイド１８に仮止めされたベルト操作体２８が図示しない間接活線工具（例えば、絶縁ヤットコ）で把持され、ベルト１７が絶縁シート２６及び被覆対象物６に巻き掛けられるようにした状態で、ベルト操作体２８が図示しない間接活線工具で第２アーム３のベルトストッパ２７に係合されると、被覆対象物６及びこの被覆対象物６に被せられた絶縁シート２６がベルトリール１６から引き出されたベルト１７によって押さえられ、絶縁シート２６が被覆対象物６に確実に固定される。この際、ベルト操作体２８は、ベルト巻き取り手段のベルト巻き取り方向のばね力がベルト１７を介して作用しているため、先端係合部４８がベルトストッパ２７を構成する一対の鍵型体２０，２０の側壁２３，２３間に係合され、突き当て面５０，５０が一対の鍵型体２０，２０の側壁２３，２３に突き当てられた状態が保持されるため、ベルトストッパ２７から脱落することがない。
【００３２】
以上のように、本実施例に係るシートクリップ１は、被覆対象物６に被せられた絶縁シート２６の両端部を開閉可能な第１アーム２の把持プレート１２と第２アーム３の把持プレート２５で挟持し、被覆対象物６が絶縁シート２６と共にベルト１７で押さえられるようになっているため、被覆対象物６が従来のシートクリップを使用できないような複雑な形状であったとしても、ベルト１７が被覆対象物６の形状に合わせて柔軟に変形し、絶縁シート２６を被覆対象物６に確実に固定することができる。
【００３３】
また、本実施例に係るシートクリップ１は、ベルトリール１６が第１アーム２のベルトリール保持部１５に着脱可能に取り付けられるようになっているため、間接活線工法の作業内容に応じたベルトリール１６（ベルト１７の色が異なるベルトリール１６）に容易に変更することが可能であり、架線の誤接続を防止でき、間接活線工法作業の安全性を向上させることができると共に、間接活線工法作業の効率化を図ることが可能になる。
【００３４】
なお、本実施例において、ベルトガイド１８は、開口部２２を省略したもの（開口部２２を塞いだもの）を使用することができる。そして、ベルト１７は、帯状のものに限定されず、コード状、紐状のものを使用することができる。
【符号の説明】
【００３５】
１……シートクリップ、２……第１アーム、３……第２アーム、６……被覆対象物、８……フック部、１５……ベルトリール保持部、１６……ベルトリール、１７……ベルト、２６……絶縁シート、２７……ベルトストッパ
【図１】
2020141479.tif 000003
【図２】
2020141479.tif 000004
【図３】
2020141479.tif 000005
【図４】
2020141479.tif 000006
【図５】
2020141479.tif 000007
【図６】
2020141479.tif 000008